(57)【要約】【課題】  敷設現場の状況に応じてＰＯＦの引き出し方向を選択でき、複数個の固定器具を用いることなく、現場の状況に応じてＰＯＦを敷設することできるＰＯＦ固定器具を提供する。【解決手段】  断面が円形あるいは正多角形からなる複数本の柱状の固定部材が支持台上に垂直に固定されたプラスチック光ファイバ固定器具であって、プラスチック光ファイバを前期複数本の柱状の固定部材の側面に巻きつける、あるいは柱間を蛇行させることによって固定できるように前記複数本の柱状の固定部材が、前記支持台に配置されてなるプラスチック光ファイバ固定器具。【特許請求の範囲】
【請求項１】
断面が円形あるいは正多角形からなる複数本の柱状の固定部材が支持台上に垂直に固定されたプラスチック光ファイバ固定器具であって、プラスチック光ファイバを前期複数本の柱状の固定部材の側面に巻きつける、あるいは柱間を蛇行させることによって固定できるように前記複数本の柱状の固定部材が、前記支持台に配置されてなるプラスチック光ファイバ固定器具。
【請求項２】
前期複数本の柱状の固定部材の断面の中心線が略同一直線上あるいは略同一円周上に位置するように配置された請求項１に記載のプラスチック光ファイバ固定器具。
【発明の詳細な説明】
【技術分野】
【０００１】
本発明は、プラスチック光ファイバ（以下、「ＰＯＦ」と略す。）を敷設する際に使用されるＰＯＦ固定器具に関するものである。
【背景技術】
【０００２】
ＰＯＦを敷設する際に敷設現場で用いられるＰＯＦ固定器具としては、例えば特許３４１４９４６号公報（特許文献１）に開示されるような固定器具が提案されている。この固定器具は、ＰＯＦケーブルの許容曲げ半径以上の曲率半径を有する蛇行型の保持溝を備えており、ＰＯＦケーブルに過剰な引張力がかかった場合にその引っ張り衝撃を吸収し、ＰＯＦケーブルに損傷を与えないと共にＰＯＦケーブルの確実な保持を可能にしたものである。
【特許文献１】特許第３４１４９４６号公報
【発明の開示】
【発明が解決しようとする課題】
【０００３】
ところが、ＰＯＦを敷設現場で配線する場合、敷設現場の状況に応じてＰＯＦの配線方向が異なるため、特許文献１に開示されている固定器具では、ＰＯＦの引き出し方向が一方向に限定されているため、敷設現場の状況に合わせてＰＯＦの引き出し方向を変更することができないという問題があった。また、敷設現場の状況に合わせて適当な引き出し方向を確保するため、引き出し方向毎に異なる方向の溝を有する固定器具を多数準備する必要が生じ、固定器具の品種が増えてしまうという問題があった。
【課題を解決するための手段】
【０００４】
本発明は断面が円形あるいは正多角形からなる複数本の柱状の固定部材が支持台上に垂直に固定されたプラスチック光ファイバ固定器具であって、プラスチック光ファイバを前期複数本の柱状の固定部材の側面に巻きつける、あるいは柱間を蛇行させることによって固定できるように前記複数本の柱状の固定部材が、前記支持台に配置されてなるプラスチック光ファイバ固定器具に関する。
【発明の効果】
【０００５】
本発明のＰＯＦ固定器具によれば、敷設現場の状況に応じてＰＯＦの引き出し方向を選択でき、複数個の固定器具を用いることなく、現場の状況に応じてＰＯＦを敷設することできる。
【発明を実施するための最良の形態】
【０００６】
以下に本発明を実施するための好ましい形態について図１〜１１に基づいて説明する。
【０００７】
図１は、本発明のＰＯＦ固定器具の一実施形態であって、３本の円柱状の固定部材（２）〜（４）が、それらの断面中心線が同一直線上に位置するように支持台（１）上に垂直に配置したものである。支持台（１）は、矩形の板状体であって、前記複数本の柱状の固定部材を配置できる広さの配置平面と、この平面に対向する側に、ＰＯＦ敷設作業時に壁面等に台を固定するための固定平面を有している。
【０００８】
円柱状の固定部材（２）〜（４）の半径は、敷設するＰＯＦを巻きつけた際にＰＯＦの損傷を避けるため、敷設するＰＯＦの最小曲げ半径よりも大きくすることが好ましい。また隣接する円柱状の固定部材どうしの間隔は、側圧によるＰＯＦの伝送損失の増加を抑止するために、敷設するＰＯＦの直径と同程度あるいはそれより大きく設定することが好ましい。しかし、側圧により発生するＰＯＦの伝送損失の増加が伝送路の損失マージンより十分に小さく無視できる場合は、ＰＯＦの直径より小さく設定することもできる。なお、ＰＯＦの最小曲げ半径とは、ＰＯＦを９０°屈曲させた際に、伝送損失の増加が０．５ｄＢ以下となる曲率半径の最小値を指す。
【０００９】
柱としては、金属、プラスチック、樹脂、木材等からなるものを用いることができる。また、固定部材は、ＰＯＦを固定器具から引き出す際にＰＯＦが損傷することがない程度の大きさの摩擦力によってＰＯＦを固定できるように、柱状の固定部材の側面に粗面加工や鏡面加工を施してもよい。
【００１０】
図２(a)〜(d)は、図１に示したＰＯＦ固定器具にＰＯＦを固定した状態を示したものである。図２(a)および(b)に示すようにＰＯＦを巻きつけることによって、ＰＯＦの引き出し方向を円柱状の固定部材（２）〜（４）の配置方向に対し９０度の方向とすることができ、図２(c)および(d)に示すようにＰＯＦを巻きつけることで、ＰＯＦを円柱状の固定部材の配列方向に対し４５度や０度の方向に引き出すようにすることもできる。また、図２(a)〜(d)に示した以外にもＰＯＦの巻きつけ方を変えることで、ＰＯＦの引き出し方向を円柱状の固定部材の配列方向に対し任意の方向に設定することも可能となる。
【００１１】
図３は、４本の円柱状の固定部材（２）〜（５）を、それらの断面中心線が同一直線上に位置するように支持台上に配置したＰＯＦ固定器具である。図１の場合と比べて円柱状の固定部材の数を増やしているため、ＰＯＦの巻きつけ回数を増やすことができ、ＰＯＦを強固に固定できるとともに、複数本のＰＯＦを同時に固定することができる。
【００１２】
図４は、３本の円柱状の固定部材（２３）〜（２５）をそれぞれ正三角形の各頂点の位置に固定部材の中心が位置するように配置したＰＯＦ用固定器具に、ＰＯＦを巻きつけた状態を表したものである。
【００１３】
図５は、４本の円柱状の固定部材（７）〜（１０）を、正方形の各頂点の位置に固定部材の中心が位置するようにそれぞれ配置するとともに、円柱状の固定部材（６）を前記正方形の中心に配置したＰＯＦ固定器具であって、このＰＯＦ固定器具にＰＯＦを巻きつけた状態を図６に示す。円柱状の固定部材をこのような配置にすることによって、ＰＯＦの両端を任意の方向へ引き出すことができる。
【００１４】
図７は、６本の円柱状の固定部材を正六角形の各頂点の位置に固定部材の中心が位置するように配置し、さらにその中央に一本の円柱状の固定部材を配置したＰＯＦ固定器具である。円柱状の固定部材をこのように配置することによって、ＰＯＦの引き出し方向の自由度をより大きくすることができる。
【００１５】
図８は、図５において正方形の各頂点に固定部材の中心が位置するように配置された円柱状の固定部材（７）〜（１０）の半径を、固定するＰＯＦの最小曲げ半径よりも半径が小さい円柱状の固定部材（１１）〜（１４）に変更したＰＯＦ用固定器具である。また、固定部材の断面形状は多角形でもよい。図９で示されたＰＯＦ固定器具は、図５で示された円柱状の固定部材（７）〜（１０）を三角柱状の固定部材（１５）〜（１８）に変更したものである。これら図８および図９に示される２つの実施形態では、図４に示した実施形態と比べて固定器具の外形寸法を小さくできるとともに、ＰＯＦの引き出し方向の自由度もより大きくすることができる。
【００１６】
図１０で示されるＰＯＦ固定器具は、図１のように配置された円柱状の固定部材の半径をＰＯＦの最小曲げ半径よりも小さい固定部材に変更し、かつ円柱状の固定部材を、円柱の断面中心を結んだ１本の直線に対して、中央の円柱状の固定部材を直線より下方に、両端の円柱状の固定部材を直線より上方にずらして配置（千鳥状配置）したものである。このように円柱を配置することによって、円柱状の固定部材の半径がＰＯＦの最小曲げ半径より小さくした場合でもＰＯＦを最小曲げ半径以下に曲げることなく固定することができる。
【００１７】
図１１は、図１で示された（２）〜（４）の各々の円柱状の固定部材を、ＰＯＦの最小曲げ半径よりも半径が小さい４本の円柱状の固定部材（２２）に置き換え、それらの断面の中心が同一円周上にあるように配置したＰＯＦ用固定器具である。このような形態をとることによっても、図１０と同様に円柱の半径がＰＯＦの最小曲げ半径より小さくとも、ＰＯＦを最小曲げ半径以下に曲げることなく固定することができる。
【００１８】
以上、本発明のＰＯＦ固定器具の代表的な実施形態を説明したが、本発明は上記の形態のみに限定されるものではなく、敷設現場の状況あるいはＰＯＦの種類によって様々な形態をとることが可能である。
【図面の簡単な説明】
【００１９】
【図１】本発明の第1の実施例を示す図である。
【図２】本発明の第1の実施例にＰＯＦを固定した状態を示す図である。
【図３】本発明の第２の実施例とＰＯＦを固定した状態を示す図である。
【図４】本発明の第３の実施例を示す図である。
【図５】本発明の第３の実施例にＰＯＦを固定した状態を示す図である。
【図６】本発明の第４の実施例とＰＯＦを固定した状態を示す図である。
【図７】本発明の第５の実施例を示す図である。
【図８】本発明の第６の実施例を示す図である。
【図９】本発明の第７の実施例を示す図である。
【図１０】本発明の第８の実施例を示す図である。
【図１１】本発明の第９の実施例を示す図である。
【符号の説明】
【００２０】
（１）  支持台
（２）〜（１０）  ＰＯＦの最小曲げ半径より半径が大きい円柱状の固定部材
（１１）〜（１４）、（１９）〜（２６）  ＰＯＦの最小曲げ半径より小さい円柱状の固定部材
（１５）〜（１８）  三角柱状の固定部材
（２７）  ＰＯＦ
【図１】
2006003641.tif 000002
【図２】
2006003641.tif 000003
【図３】
2006003641.tif 000004
【図４】
2006003641.tif 000005
【図５】
2006003641.tif 000006
【図６】
2006003641.tif 000007
【図７】
2006003641.tif 000008
【図８】
2006003641.tif 000009
【図９】
2006003641.tif 000010
【図１０】
2006003641.tif 000011
【図１１】
2006003641.tif 000012